(57)【特許請求の範囲】
【請求項１】
表示部を持つ端末装置と接続され、手差給紙口を持つプリンタにおいて、
端末装置からの印刷ジョブを順次記憶する記憶手段と、
端末装置より印刷ジョブの要求があった場合、要求された印刷ジョブが手差給紙口にセットされた用紙を用いて印刷する手差印刷ジョブであるか否かを判断する第１判断手段と、
記憶手段に記憶されている印刷ジョブ中に手差印刷ジョブがあるか否かを判断する第２判断手段と、
第１判断手段によって、要求された印刷ジョブが手差印刷ジョブと判断され、第２判断手段によって、記憶手段に記憶されている印刷ジョブ中に手差印刷ジョブがないと判断された場合、手差給紙口に用紙を置く旨の情報を手差印刷ジョブの要求を行った端末装置に通知する通知手段と、
を有することを特徴とするプリンタ。
【請求項２】
請求項１記載のプリンタは、さらに、
手差印刷ジョブの終了を検出する手差印刷ジョブ終了検出手段と、
記憶手段に記憶されている印刷ジョブ中に他の手差印刷ジョブがあるか否かを判断する第３判断手段とを有し、
上記通知手段は、手差印刷ジョブ終了が検出され、第３判断手段によって他の手差印刷ジョブがあると判断された場合、次に実行する手差印刷ジョブの要求を行った端末装置に、手差給紙口に用紙を置く旨の情報を通知するものであることを特徴とするプリンタ。
【請求項３】
請求項１記載のプリンタは、さらに、
記憶手段に記憶されている印刷ジョブのうち、Ｎ番目に実行される印刷ジョブが手差印刷ジョブであるか否かを判断する第４判断手段とを有し、
上記通知手段は、Ｎ番目に実行される印刷ジョブが手差印刷ジョブであると判断された場合、その手差印刷ジョブを要求した端末装置に、手差給紙口に用紙を置く旨の情報を通知するものであること
を特徴とするプリンタ。
【請求項４】
表示部を持つ端末装置と接続された、手差給紙口を持つプリンタにおける用紙セット指示方法であって、この方法は、
端末装置からの印刷ジョブを順次記憶手段に記憶させる印刷ジョブ記憶ステップと、
端末装置より印刷ジョブの要求があった場合、要求された印刷ジョブが上記手差給紙口にセットされた用紙を用いて印刷する手差印刷ジョブであるか否かを判断する第１判断ステップと、
上記印刷ジョブ記憶ステップにより記憶された印刷ジョブ中に手差印刷ジョブがあるか否かを判断する第２の判断ステップと、
上記第１の判断ステップによって、要求された印刷ジョブが手差印刷ジョブと判断され、且つ、上記第２の判断ステップによって、上記印刷ジョブ記憶ステップにおいて記憶された印刷ジョブ中に手差印刷ジョブがないと判断された場合、上記手差給紙口に用紙を置く旨の情報を手差印刷ジョブの要求を行った端末装置に通知する通知ステップと、
を備えたことを特徴とするプリンタにおける用紙セット指示方法。
【請求項５】
表示部を持つ端末装置と、この端末装置と接続された手差給紙口を持つプリンタとを備えた印刷システムにおいて、
端末装置からの印刷ジョブをプリンタにおいて順次記憶する記憶機能と、
端末装置より印刷ジョブの要求があった場合、要求された印刷ジョブが上記手差給紙口にセットされた用紙を用いて印刷する手差印刷ジョブであるか否かを判断するプリンタにおける第１判断機能と、
上記記憶機能により記憶された印刷ジョブ中に手差印刷ジョブがあるか否かを判断するプリンタにおける第２判断機能と、
上記第１判断機能によって、要求された印刷ジョブが手差印刷ジョブと判断され、上記第２判断機能によって、上記記憶機能により記憶されている印刷ジョブ中に手差印刷ジョブがないと判断された場合、上記手差給紙口に用紙を置く旨の情報を手差印刷ジョブの要求を行った端末装置に通知するプリンタにおける第１通知機能と、
を備えたことを特徴とする印刷システム。
【請求項６】
表示部を持つ端末装置と接続されるところの、手差給紙口を持つプリンタのためのプログラムが記録された記録媒体であって、この記録媒体に記録されたプログラムは、
端末装置からの印刷ジョブを順次記憶させる記憶機能と、
端末装置より印刷ジョブの要求があった場合、要求された印刷ジョブが上記手差給紙口にセットされた用紙を用いて印刷する手差印刷ジョブであるか否かを判断する第１判断機能と、
上記記憶機能により記憶された印刷ジョブ中に手差印刷ジョブがあるか否かを判断する第２判断機能と、
上記第１判断機能によって、要求された印刷ジョブが手差印刷ジョブと判断され、且つ、上記第２判断機能によって、上記記憶機能により記憶されている印刷ジョブ中に手差印刷ジョブがないと判断された場合、上記手差給紙口に用紙を置く旨の情報を手差印刷ジョブの要求を行った端末装置に通知する第１通知機能と、
をプリンタに実現させるプログラムであることを特徴とする記録媒体。
【請求項７】
表示部を持つ端末装置と接続され、手差給紙口を持つプリンタを制御するプリンタ制御装置において、
端末装置からの印刷ジョブを順次記憶する記憶手段と、
端末装置より印刷ジョブの要求があった場合、要求された印刷ジョブが上記プリンタの手差給紙口にセットされた用紙を用いて印刷する手差印刷ジョブであるか否かを判断する第１判断手段と、
記憶手段に記憶されている印刷ジョブ中に手差印刷ジョブがあるか否かを判断する第２判断手段と、
第１判断手段によって、要求された印刷ジョブが手差印刷ジョブと判断され、第２判断手段によって、記憶手段に記憶されている印刷ジョブ中に手差印刷ジョブがないと判断された場合、手差給紙口に用紙を置く旨の情報を手差印刷ジョブの要求を行った端末装置に通知する通知手段と、
を有することを特徴とするプリンタ制御装置。
【発明の詳細な説明】
【０００１】
【発明の属する技術分野】
本発明は、プリンタ、プリンタにおける用紙セット指示方法、印刷システム、記録媒体、及び、プリンタ制御装置に関する。
【０００２】
【従来の技術】
近年、複数台のコンピュータを回線で結んでネットワーク（ＬＡＮ）を構成し資源の共有化をはかることが行われている。多くの場合、プリンタもこのネットワークに接続されており、小数のプリンタを多数のユーザで共用することが行われる。このようなネットワーク上のプリンタを利用するにあたって、ユーザは各コンピュータ上で作成した、又は、他から取り込んだ文書、図面、写真等の像をプリンタドライバを利用して印刷することができる。
【０００３】
一方、このようなネットワークに接続されるプリンタは、数百枚程度の用紙を収納することのできるカセットをいくつか備えているとともに、通常使用頻度の少ない特別の用紙（例えば、ＯＨＰ用紙、はがき、その他非定型サイズの用紙）のための手差給紙口を備えている。
【０００４】
手差給紙口を備えたプリンタにおいて、手差印刷ジョブを実行させる場合、ユーザは手差印刷ジョブを指示してから、用紙を手差給紙口に載置するようになっている。
【０００５】
【発明が解決しようとする課題】
しかしながら、複数の印刷ジョブを記憶することのできるプリンタで手差印刷ジョブを実行しようとした場合、あるユーザが手差印刷ジョブを指示し、手差給紙口に用紙を載置した時点で、既に他の手差印刷ジョブが要求されていた場合には、先にその手差印刷ジョブが実行されるので、その手差印刷ジョブは所望しない用紙に印刷されてしまうことになる。
【０００６】
本発明はこのような問題点を解決することを課題とするものである。
【０００７】
【課題を解決するための手段】
上記課題は次の解決手段によって解決される。
【０００８】
「第１番目の発明」
表示部を持つ端末装置と接続され、手差給紙口を持つプリンタにおいて、
端末装置からの印刷ジョブを順次記憶する記憶手段と、
端末装置より印刷ジョブの要求があった場合、要求された印刷ジョブが手差給紙口にセットされた用紙を用いて印刷する手差印刷ジョブであるか否かを判断する第１判断手段と、
記憶手段に記憶されている印刷ジョブ中に手差印刷ジョブがあるか否かを判断する第２判断手段と、
第１判断手段によって、要求された印刷ジョブが手差印刷ジョブと判断され、第２判断手段によって、記憶手段に記憶されている印刷ジョブ中に手差印刷ジョブがないと判断された場合、手差給紙口に用紙を置く旨の情報を手差印刷ジョブの要求を行った端末装置に通知する通知手段と、
を有することを特徴とするプリンタ。
【０００９】
「第２番目の発明」
第１番目の発明のプリンタが、さらに、
手差印刷ジョブの終了を検出する手差印刷ジョブ終了検出手段と、
記憶手段に記憶されている印刷ジョブ中に他の手差印刷ジョブがあるか否かを判断する第３判断手段とを有し、
上記通知手段は、手差印刷ジョブ終了が検出され、第３判断手段によって他の手差印刷ジョブがあると判断された場合、次に実行する手差印刷ジョブの要求を行った端末装置に、手差給紙口に用紙を置く旨の情報を通知するものであることを特徴とするプリンタ。
【００１０】
「第３番目の発明」
第１番目の発明のプリンタが、さらに、
記憶手段に記憶されている印刷ジョブのうち、Ｎ番目に実行される印刷ジョブが手差印刷ジョブであるか否かを判断する第４判断手段とを有し、
上記通知手段は、Ｎ番目に実行される印刷ジョブが手差印刷ジョブであると判断された場合、その手差印刷ジョブを要求した端末装置に、手差給紙口に用紙を置く旨の情報を通知するものであること
を特徴とするプリンタ。
【００１１】
「第４番目の発明」
表示部を持つ端末装置と接続された、手差給紙口を持つプリンタにおける用紙セット指示方法であって、この方法は、
端末装置からの印刷ジョブを順次記憶手段に記憶させる印刷ジョブ記憶ステップと、
端末装置より印刷ジョブの要求があった場合、要求された印刷ジョブが上記手差給紙口にセットされた用紙を用いて印刷する手差印刷ジョブであるか否かを判断する第１判断ステップと、
上記印刷ジョブ記憶ステップにより記憶された印刷ジョブ中に手差印刷ジョブがあるか否かを判断する第２の判断ステップと、
上記第１の判断ステップによって、要求された印刷ジョブが手差印刷ジョブと判断され、且つ、上記第２の判断ステップによって、上記印刷ジョブ記憶ステップにおいて記憶された印刷ジョブ中に手差印刷ジョブがないと判断された場合、上記手差給紙口に用紙を置く旨の情報を手差印刷ジョブの要求を行った端末装置に通知する通知ステップと、
を備えたことを特徴とするプリンタにおける用紙セット指示方法。
【００１２】
「第５番目の発明」
表示部を持つ端末装置と、この端末装置と接続された手差給紙口を持つプリンタとを備えた印刷システムにおいて、
端末装置からの印刷ジョブをプリンタにおいて順次記憶する記憶機能と、
端末装置より印刷ジョブの要求があった場合、要求された印刷ジョブが上記手差給紙口にセットされた用紙を用いて印刷する手差印刷ジョブであるか否かを判断するプリンタにおける第１判断機能と、
上記記憶機能により記憶された印刷ジョブ中に手差印刷ジョブがあるか否かを判断するプリンタにおける第２判断機能と、
上記第１判断機能によって、要求された印刷ジョブが手差印刷ジョブと判断され、上記第２判断機能によって、上記記憶機能により記憶されている印刷ジョブ中に手差印刷ジョブがないと判断された場合、上記手差給紙口に用紙を置く旨の情報を手差印刷ジョブの要求を行った端末装置に通知するプリンタにおける第１通知機能と、
を備えたことを特徴とする印刷システム。
【００１３】
「第６番目の発明」
表示部を持つ端末装置と接続されるところの、手差給紙口を持つプリンタのためのプログラムが記録された記録媒体であって、この記録媒体に記録されたプログラムは、
端末装置からの印刷ジョブを順次記憶させる記憶機能と、
端末装置より印刷ジョブの要求があった場合、要求された印刷ジョブが上記手差給紙口にセットされた用紙を用いて印刷する手差印刷ジョブであるか否かを判断する第１判断機能と、
上記記憶機能により記憶された印刷ジョブ中に手差印刷ジョブがあるか否かを判断する第２判断機能と、
上記第１判断機能によって、要求された印刷ジョブが手差印刷ジョブと判断され、且つ、上記第２判断機能によって、上記記憶機能により記憶されている印刷ジョブ中に手差印刷ジョブがないと判断された場合、上記手差給紙口に用紙を置く旨の情報を手差印刷ジョブの要求を行った端末装置に通知する第１通知機能と、
をプリンタに実現させるプログラムであることを特徴とする記録媒体。
【００１４】
「第７番目の発明」
表示部を持つ端末装置と接続され、手差給紙口を持つプリンタを制御するプリンタ制御装置において、
端末装置からの印刷ジョブを順次記憶する記憶手段と、
端末装置より印刷ジョブの要求があった場合、要求された印刷ジョブが上記プリンタの手差給紙口にセットされた用紙を用いて印刷する手差印刷ジョブであるか否かを判断する第１判断手段と、
記憶手段に記憶されている印刷ジョブ中に手差印刷ジョブがあるか否かを判断する第２判断手段と、
第１判断手段によって、要求された印刷ジョブが手差印刷ジョブと判断され、第２判断手段によって、記憶手段に記憶されている印刷ジョブ中に手差印刷ジョブがないと判断された場合、手差給紙口に用紙を置く旨の情報を手差印刷ジョブの要求を行った端末装置に通知する通知手段と、
を有することを特徴とするプリンタ制御装置。
【００１５】
【実施例】
通常、デジタル複写機は複写機としての機能とプリンタとしての機能を有している。本実施例において、デジタル複写機ないしは単に複写機といった場合、特に断りがなければ、それはデジタル複写機のプリンタとしての機能に着目したものであって、この限りで実質上プリンタと区別されるものではない。
【００１６】
「システム概要」
図１は本発明のシステム構成図である。本システムはネットワークＮＷ、デジタル複写機１、プリンタサーバコンピュータＰＳ、複数のクライアントコンピュータＣＣ１〜ＣＣ４から構成される。プリンタサーバコンピュータＰＳ、複数のクライアントコンピュータＣＣ１〜ＣＣ４は、ネットワークＮＷを介して接続されており、これによって、クライアン卜コンピュータＣＣ１〜ＣＣ４−プリンタサーバコンピュータＰＳ間、あるいはクライアントコンピュータＣＣ１〜ＣＣ４間どうしで、画像データや各種のコマンド等のデータ通信を行うことができる。
【００１７】
また、デジタル複写機１は、プリンタサーバコンピュータＰＳに接続されており、これによってデジタル複写機１は、原稿の複写をするといった通常の機能以外に、プリンタサーバコンピュータＰＳ経由でクライアントコンピュータＣＣ１〜ＣＣ４から受信した画像データをプリントアウトすることが可能となる。
【００１８】
「デジタル複写機の内部の概要」
図２は本発明に係るデジタル複写機１の全体構成を示す断面図である。
【００１９】
複写機１は、イメージリーダＩＲとページプリンタＰＲＴ及び外部インターフェースユニットＩＵとから構成されるデジタル複写機である。
【００２０】
イメージリーダＩＲの本体は、原稿台ガラス１８上に載置された原稿を画素に分解して読み取る走査系１０、走査系１０が出力する光電変換信号の量子化と種々の画像形成モードに応じた信号処理とを行う画像処理部２０、及び原稿に対応した画像データを記憶するメモリユニット部３０から構成されている。
【００２１】
そして、この本体の上部に原稿カバーを兼ねた付加装置である自動原稿送り装置（ＡＤＦＲ）５００が、その後端部を支点に開閉可能に組み付けられている。
【００２２】
走査系１０は、ライン走査方式の画像読み取り機構であって、原稿照射用ランプ１１とミラー１２とを有したスキャナ１９、固定ミラー１３ａ、１３ｂ、集光レンズ１４、ＣＣＤアレイからなるイメージセンサ１６、及びスキャナ１９を駆動するスキャンモータＭ２から構成されている。画像信号処理部２０及び、メモリユニット部３０については後述する。
【００２３】
ＡＤＦＲ５００は、原稿スタッカ５１０上にセットされた原稿を、給紙ローラ５０１、捌きローラ５０２、捌きパット５０３、中間ローラ５０４、レジストローラ５０５及び搬送ベルト５０６によって原稿排出トレイ５１１上に排出する。
【００２４】
ＡＤＦＲ５００には、原稿スケール５１２、原稿の有無を検出する原稿センサＳＥ５０、原稿サイズセンサＳＥ５１、及び排出センサＳＥ５２が設けられている。
【００２５】
ぺージプリンタＰＲＴは、露光制御信号を出力する印刷処理部４０、半導体レーザ６２を光源とするプリントヘッド６０、感光体ドラム７１とその周辺装置からなる現像・転写系７０Ａ、定着ローラ対８４及び排出ローラ対８５などを有した定着・排出系７０Ｂ、及びユニット６００を含む循環式の用紙搬送系７０Ｃなどから構成され、イメージリーダＩＲから転送された画像データまたは外部インターフェースユニットＩＵを介して受信した画像データに基づいて電子写真プロセスによって複写画像をプリントする。
【００２６】
ページプリンタＰＲＴの下部には数百枚程度の用紙を収納できる２つの用紙カセット８０ａ、８０ｂ、用紙サイズ検出センサＳＥ１１、１２とＯＨＰ用紙、ハガキ、その他非定形サイズの用紙を収納できるマルチ手差し給紙口８０ｃ、マルチ手差し用紙サイズ検出センサＳＥ１３、及び給紙用ローラ群が設けられている。
【００２７】
また、２つの用紙カセット及びマルチ手差し給紙口の用紙有無を検出するエンプティセンサＳＥ１１Ｅ、ＳＥ１２Ｅ、ＳＥ１３Ｅも設けられている。
【００２８】
図３及び図４はデジタル複写機１の制御部１００の構成を示すブロック図である。
【００２９】
制御部１００は、９個のＣＰＵ１０１〜１０９を中心に構成され、これら各ＣＰＵ１０１〜１０９には、それぞれプログラムを格納したＲＯＭ１１１〜１１９が設けられている。なお、ＣＰＵ１０６はメモリユニット部３０内に、ＣＰＵ１０９は外部インターフェース部ＩＵ内に設けられている。
【００３０】
ＣＰＵ１０１は、操作パネルＯＰの各種操作キーからの信号入力や表示の制御を行う。ＣＰＵ１０２は、画像信号処理部２０の各部の制御を行い、ＣＰＵ１０３は走査系１０の駆動制御を行う。ＣＰＵ１０４は、印刷処理部４０を含むページプリンタＰＲＴの制御を行う。
【００３１】
ＣＰＵ１０５は、制御部１００の全体的なタイミング調整、及び動作モードの設定のための処理を担う。そのため、ＣＰＵ１０５は、他のＣＰＵとのシリアル通信を行って、制御に必要なコマンドやレポートなどの送受を行う。
【００３２】
ＣＰＵ１０６は、画像情報の記憶及び読み出しの制御を行う。ＣＰＵ１０７は、ＡＤＦＲ５００による原稿搬送の制御を行う。そしてＣＰＵ１０８は、再給紙ユニット６００の制御を行う。
【００３３】
ＣＰＵ１０９は、外部インターフェースユニット部においてプリンタサーバコンピュータからの画像情報の受信及びメモリユニット部への転送制御を行う。
【００３４】
図５はメモリユニット部３０の構成を示す図である。
【００３５】
読み込み時は、イメージリーダＩＲで読み込まれた画像データＤ２が、まず入力ページメモリ３０１に転送される。
【００３６】
また入力ページメモリ３０１に転送された画像は圧縮器３０２によってページ単位で画像を圧縮し、符号メモリ３０３へ転送される。同様に、外部インターフェースユニットで受信した画像データも入力ページメモリ３０１に転送され、圧縮器３０２によってページ単位で画像を圧縮し、符号メモリ３０３へ転送される。
【００３７】
プリント時は、符号メモリ３０３内の圧縮された画像を伸張器３０４によって伸張する。また画像回転の必要な場合は伸張時にページ単位で回転器で回転処理を行い回転処理と伸張処理を同時に行う。伸張された画像データは出力ページメモリ３０５に転送される。
【００３８】
画像出力時は出力ページメモリ３０５から印刷処理部へ画像データが転送される。図３、図４中の太い矢印のデータ転送は、コピー速度の向上のために互いに独立して且つ平行に動作可能に構成されており、データがそれぞれ図示しないＤＭＡコントローラによりＤＭＡ転送されるようになっている。
【００３９】
また、メモリユニット部３０は、ＲＯＭ１１６に格納されているプログラムに従いＣＰＵ１０６が制御する。プログラムを動作させるときに必要なパラメータなどはシステムＲＡＭ１２６に格納する。
【００４０】
原稿画像の一時的な記憶に際しては、符号メモリ３０３はＲＡＭ１２６内に設けられた管理テーブルによって管理される。
【００４１】
図６はプリンタサーバコンピュータＰＳの構成図である。プリンタサーバコンピュータＰＳ本体は、プリンタサーバコンピュータの中央制御のためのＣＰＵγ０１、メモリγ０２、ハードディスクγ０４を制御するためのハードディスクコントローラγ０３、画像データの一時登録や各種データ記憶のためのハードディスクγ０４、クライアントコンピュータＣＣ１〜ＣＣ４とのネットワークＮＷ上のプロトコルを制御するためのネットワークコントローラγ０５、ディスプレイγ１１表示を制御するディスプレイコントローラγ０６、ディスプレイメモリγ０７、キーボードγ１２入力を制御するキーボードコントローラγ０８、マウスγ１３入力を制御するマウスコントローラγ０９、クライアントコンピュータＣＣ１〜ＣＣ４から受信するページ記述言語等で記述された画像データをビットマップ・イメージに展開するラスタイメージ発生部γ１４、デジタル複写機１との間の画像データやステータス情報の送受信を制御するＩ／Ｆコントローラγ１５からなり、これに、レイアウト・編集・メニュー表示等を行うためのディスプレイγ１１、サーバ管理者の指示を入力するためのキーボードγ１２、マウスγ１３を接続して操作するようになっている。
【００４２】
クライアントコンピュータＣＣ１〜ＣＣ４は上述のプリンタサーバコンピュータとほぼ同様の構成を備えている。
【００４３】
図７は管理テーブルの概略図である。原稿を読み取って圧縮する際には、画像情報をジョブ単位で管理する必要があるため、ジョブ内で複数ページが分割されて記憶される。そこでテーブルは分割されたページ単位の情報を記憶するテーブル（Ｔ−２）と、ジョブ単位の情報を記憶するテーブル（Ｔ−１）を持っている。
【００４４】
ジョブ単位情報（Ｔ−１）は、ジョブＩＤとジョブの登録状態とページ管理情報はどこに記憶しているかといった情報と指定枚数（部数）、ＯＨＰと合紙コピーの設定の有無、給紙口選択情報を示すコピーモード等を記憶している。また、ページ管理情報（Ｔ−２）では、圧縮画像データがどこにあるかを記憶している。
【００４５】
ＣＰＵ１０６はＣＰＵ１０５からの指示により、入力ページメモリ３０１から画像データを読み出して圧縮する際に、管理テーブルの情報を作成しながら、圧縮器３０２を制御して符号メモリ３０３に圧縮画像データを格納していく。
【００４６】
また、画像データを出力する際には、それと逆の動作により符号メモリ３０３から圧縮画像データを読み出していく。管理テーブル内の情報は、該当ページの情報が正常に読み出され、オペレータの指定した枚数（部数）Ｍのコピーが完了したときに消去される。
【００４７】
次に、原稿読み込みプリントデータ受信及びプリントに関する複写機１の動作シーケンスについて、各ＣＰＵ１０１〜１０６の間でやりとりされる要求コマンド（Ｑ）、レポート（Ａ）、又はデータの流れを中心に図８及び図９に基づいて説明する。なお、同図中の「Ｑ」は「要求」を、同「Ａ」は「通知」を意味する省略である。
【００４８】
図８はプリンタサーバコンピュータからのプリントデータ受信動作の概略のシーケンスを示す図である。
【００４９】
プリントデータ受信動作では、外部インターフェースユニット部ＩＵからメモリユニット部３０へ画像データが転送される。
【００５０】
まず、全体のシーケンスを管理しているＣＰＵ１０５が、ＣＰＵ１０６に対してメモリ準備を要求する。これを受けて、ＣＰＵ１０６は内部ハードウェアに対しデュアルポートＲＡＭ（ＤＰＲＡＭ）１３６を介して外部インターフェースユニット部ＩＵからの画像データをメモリユニット部３０へ転送させるためのバス接続状態の設定を行う。
【００５１】
これらの設定が終わって準備が完了すると、ＣＰＵ１０６はＣＰＵ１０５に対してメモリ準備の完了を通知する。ＣＰＵ１０５がＣＰＵ１０６、１０９に対してデータ転送を要求すると、ＣＰＵ１０９がプリンタサーバコンピュータに対してデータ転送を要求する。
【００５２】
プリンタサーバコンピュータにおいてデータ転送準備が完了すると、プリントデータ（画像データ）が外部インターフェースユニット部ＩＵからメモリユニット部３０に転送される。
【００５３】
ＣＰＵ１０９、１０６から転送完了が通知されると、ＣＰＵ１０５はＣＰＵ１０６に対してデータ圧縮を要求する。これを受けて、ＣＰＵ１０６は、各部の起動を行う。これによって圧縮処理が行われ、符号データが符号メモリ３０３に格納される。
【００５４】
圧縮処理が完了すると、ＣＰＵ１０６からＣＰＵ１０５に圧縮の完了を通知する。
【００５５】
図９はプリント動作の概略を示す図である。
【００５６】
プリント動作では、符号メモリ３０３から画像データが読み出され、その画像データに基づいて用紙に複写画像がプリントされる。
【００５７】
ＣＰＵ１０５はＣＰＵ１０６に対してデータ伸張を要求する。ＣＰＵ１０６は各部の起動を行う。これによって伸張処理が行われ、画像データが出力ページメモリ３０５に書き込まれる。
【００５８】
伸張処理が終了すると、ＣＰＵ１０５はＣＰＵ１０６に対して出力ページメモリ３０５から画像データを読み出すためのメモリ準備要求を要求する。これを受けて、ＣＰＵ１０６は内部ハードウェアに対して出力ページメモリ３０５から印刷処理部４０へ画像データＤ３を出力するためのバス接続状態の設定、回転処理のための設定などを行う。
【００５９】
これらの設定が終わって準備が完了し、その通知を受けると、ＣＰＵ１０５はＣＰＵ１０６、１０４に対してプリントを要求する。ＣＰＵ１０４からＣＰＵ１０５に用紙の搬送状態を知らせる給紙レポートが送られ、その後、入力ページメモリ３０５から読み出された画像データＤ３が印刷処理部４０に出力され、プリントが行われる。
【００６０】
プリントが終了すると、ＣＰＵ１０６、ＣＰＵ１０４がＣＰＵ１０５に対してプリント完了レポート及びイジェクト完了レポートを送る。これらのレポートを受け取ったＣＰＵ１０５は、必要に応じてＣＰＵ１０６に対してメモリクリヤ要求を与える。
【００６１】
以下、フローチャートに基づいて、本発明の実施例の制御を中心に複写機１の動作をさらに詳しく説明する。
【００６２】
図１０はデジタル複写機１の制御を統括するＣＰＵ１０５のメインフローチャートである。
【００６３】
ＣＰＵ１０５は、スタート（＃Ｂ００）すると、初期設定（＃Ｂ０１）を行った後、内部タイマのセット（＃Ｂ０２）、他のＣＰＵからの入力データをチェックする入力データ解析処理（＃Ｂ０３）、操作内容に応じて動作モードを定めるモード設定処理（＃Ｂ０４）、読み込み処理（＃Ｂ０５）、プリント処理（＃Ｂ０６）、コマンドを通信ポートに待機させる出力データセット（＃Ｂ０７）、その他の処理（＃Ｂ０８）、及び内部タイマの待ち合わせ（＃Ｂ０９）を繰り返し実行する。
【００６４】
ステップ＃Ｂ０６のプリント処理では、プリントに関するジョブの読み出し及び切り換えを行う。つまり、図７に示した管理テーブルを見て、このテーブルにジョブが現在登録されているか否かをチェックし、登録されていなければそのままこのルーチンを抜けるが、管理テーブルにジョブが登録されていれば、図７の管理テーブル内のジョブ待ち行列の先頭にあるジョブをこれからプリントするジョブとするために印刷ジョブＩＤの更新をした後そのジョブのプリントシーケンスを実行する。
【００６５】
なお、手差給紙口に用紙が置かれないままで、プリンタに対して手差印刷ジョブ実行指示が出された場合、プリンタはエンプティセンサＳＥ１３Ｅにより、手差給紙口に用紙がないことを認識しており、プリントシーケンスを即座に実行させずに、保留状態を維持する。
【００６６】
この際、手差印刷ジョブを登録したユーザに対し、クライアントコンピュータの表示画面に用紙がないことを表示して通知することも併せて行い、該当ユーザに用紙を置くよう促す。
【００６７】
その後、手差印刷ジョブを登録したユーザによって手差給紙口に用紙が置かれると、エンプティセンサＳＥ１３Ｅにより、「用紙あり」が検出され、その検出結果に基づいてプリントシーケンスの保留状態を解除し、プリントシーケンスの実行を開始させる。
【００６８】
図１１は、ＣＰＵ１０６（メモリユニット）の動作のフローチャートを示す。
【００６９】
メモリユニットが動作開始（＃Ｆ００）すると、ステップ＃Ｆ０１において、このユニットの初期処理をし、内部タイマをセットする（＃Ｆ０２）。
【００７０】
ステップ＃Ｆ０３に進み内部の処理を要求するコマンドをＣＰＵ１０５より受信する。受信したコマンドをステップ＃Ｆ０４からステップ＃Ｆ０８までで解析・判断し、該当する場合、それぞれステップ＃Ｆ１０からステップ＃Ｆ１４までの処理に進み、内部タイマ終了かどうかをチェック（＃Ｆ０９）することにより、ステップ＃Ｆ０２からステップ＃Ｆ０９までの動作を一定時間毎に繰り返す。
【００７１】
ステップ＃Ｆ１０「メモリ準備」では、画像信号処理部２０や外部インターフェースＩＵからの画像データを受信する準備をする。
【００７２】
ステップ＃Ｆ１１「読み取りデータ受信」では、コピー時にＣＰＵ１０２から読み取りデータを受信する準備をする。データが来れば受け取る。
【００７３】
ステップ＃Ｆ１２「データ受信」では、プリント時にＣＰＵ１０９から画像データ、印刷モードを受け取る準備をする。データが来れば受け取る。
【００７４】
ステップ＃Ｆ１３「圧縮処理」では、圧縮器３０２によってページ単位で画像圧縮をする。
【００７５】
ステップ＃Ｆ１４「伸張処理」では、符号メモリ３０３の圧縮された画像を伸張器３０４によって伸張する。必要に応じ回転器による回転処理も行う。
【００７６】
図１２は、ＣＰＵ１０９（外部インターフェースユニット）の動作のフローチャートを示す。
【００７７】
電源投入によりこのルーチンがスタートする（＃Ｇ００）と、ステップ＃Ｇ０１において外部インターフェースユニットの初期設定をする。次に内部タイマをセットし（＃Ｇ０２）、ステップ＃Ｇ０３に進む。ステップ＃Ｇ０３では、デジタル複写機の動作状態で前回チェックしたときから変化したものをチェックする。ステップ＃Ｇ０４においてステップ＃Ｇ０３でチェックしたステータスが有るかどうかを判定する。
【００７８】
ここで「有り」の場合にはステップ＃Ｇ０５に進みそのステータスの内容を解析し、ステップ＃Ｇ０６においてプリンタサーバコンピュータに通知するステータスデータをＳＣＳＩ用のフォーマットに変換し、ステップ＃Ｇ０７に進む。
【００７９】
ステップ＃Ｇ０４の判定が「無し」の場合は、ステップ＃Ｇ０８に進み、ここでプリンタサーバコンピュータから受信したコマンドを解析する。
【００８０】
解析した結果が次のステップ＃Ｇ０９からステップ＃Ｇ１２までのチェックで該当する場合、ステップ＃Ｇ１３からステップ＃Ｇ１６までの処理に分岐する。
【００８１】
ステップ＃Ｇ１３の「ポーリング応答」処理では、プリンタサーバコンピュータのポーリングに応答し、デジタル複写機の動作状態を知らせる処理をする。
【００８２】
ステップ＃Ｇ１４の「印刷モード設定」処理では、プリントするモード、例えば、枚数、両面プリント、倍率等、を設定する処理をする。
【００８３】
ステップ＃Ｇ１５の「画像データ転送」処理では、受信した画像をメモリユニット部３０に転送する。
【００８４】
ステップ＃Ｇ１６の「ジョブ照会」処理では、図７に示した管理テーブルの状態をプリンタサーバコンピュータに教える。
【００８５】
これらの処理をした後、ステップ＃Ｇ０７に進む。
【００８６】
ステップ＃Ｇ０７では、内部タイマが終了したかどうかをチェックし、終了するまでこれを繰り返す。
【００８７】
内部タイマが終了したらステップ＃Ｇ０２に還り、再び先にみたそれ以下のルーチンを繰り返す。
【００８８】
「プリントシーケンスの概要」
図１３及び図１４はネットワークシステムのプリントシーケンスの概略図である。ここで、この２つの図は本来一つの図を点線の部分で上下に分割したものであり、プリンタサーバコンピュータＰＳ及びデジタル複写機１から下に向かって伸びる線はそれぞれ共通の＊１及び＊２を付した線に接続されることを示している。
【００８９】
ここでは、ユーザがクライアントコンピュータＣＣ１〜ＣＣ４上でプリントを指示してから、デジタル複写機１にプリントデータが登録されるまでのシーケンスと、プリントデータがデジタル複写機１からプリントアウトされた後、クライアントコンピュータＣＣ１〜ＣＣ４で動作する“ステータス表示アプリケーション”にプリント完了等のステータスが表示されるまでを説明する。
【００９０】
（ａ）  文書の作成
ユーザは、クライアントコンピュータＣＣ１〜ＣＣ４上で動作する文書作成アプリケーション＊１０１を用いて、目的の文書の作成・編集＊１０２をおこなう。
【００９１】
文書作成アプリケーションプログラム＊１０１は、通常ハードディスクに記憶されており、ユーザが必要な時にメモリにロードし、ＣＰＵで制御することで実行させる。
【００９２】
このとき、文書のレイアウトや印刷指示情報等は、ディスプレイコントローラやディスプレイメモリを用いてディスプレイに表示される。
【００９３】
また、ユーザの文字入力、画像編集、印刷指示などは、キーボードやマウスから行い、これらの情報はそれぞれキーボードコントローラ、マウスコントローラを介してＣＰＵに通知され処理される。
【００９４】
（ｂ）  プリンタドライバの起動
文書作成アプリケーション＊１０１で作成した文書を、プリンタサーバコンピュータがそのラスタイメージ発生部γ１４で画像データにラスタライズできるように特定のページ記述言語に翻訳したり、デジタル複写機１にある給紙口の指定やステープル、パンチなどの様々な動作モードを設定するために、ユーザはクライアントコンピュータＣＣ１〜ＣＣ４上で本実施例で説明しているデジタル複写機１専用のプリンタドライバ＊１０５をハードディスクからメモリにロードし起動する（＊１０３、＊１０４、）。
【００９５】
（ｃ）  ステータス情報の取得
起動されたプリンタドライバ＊１０５は、デジタル複写機１そのものの機械的なステータスや、登録されているジョブのステータスを、プリンタサーバコンピュータＰＳとネットワークＮＷ、ネットワークコントローラγ０５及びクライアントコンピュータＣＣ１〜ＣＣ４のネットワークコントローラを介して取得する（＊１０６→＊１０７→＊１０８→＊１０９）。
【００９６】
プリンタサーバコンピュータＰＳはこのときデジタル複写機１とＩ／Ｆコントローラγ１５を介して通信して（＊１０７）、デジタル複写機１のステータスを取得し（＊１０８）、それに、プリンタサーバコンピュータＰＳ内のメモリγ０２やハードディスクγ０４にスプールされているジョブの状態等も付加してクライアントコンピュータＣＣ１〜ＣＣ４にネットワークコントローラγ０５とネットワークＮＷを介して通知する（＊１０９）。
【００９７】
（ｄ）  印刷モードの設定
プリンタドライバ画面（図１５、図１６）上で、用紙サイズ、給紙口、印刷部数、ソートの有無、両面印刷の有無、ステープルの有無、パンチの有無など各種印刷動作モードを設定する（＊１１０）。
【００９８】
ただし、前記（ｃ）で取得したステータス情報により、設定が不可能な印刷動作モードについてはこの段階で設定を禁止する。
【００９９】
（ｅ）  印刷スター卜
ユーザは印刷モードの設定（＊１１０）終了後、文書作成アプリケーション（＊１０１）で印刷スタート（＊１１１）を指示する。それに応じて、文書作成アプリケーション（＊１０１）からプリンタドライバ（＊１０５）に印刷スタートが指示され（＊１１２）、これにより、プリンタドライバ（＊１０５）はプリンタサーバコンピュータＰＳに前記（ｄ）で設定された印刷モードをネットワーク、ネットワークコントローラγ０５及びクライアントコンピュータＣＣ１〜ＣＣ４のネットワークコントローラを介して通知する（＊１１３）。
【０１００】
これに対してプリンタサーバコンピュータＰＳは、当印刷ジョブを受付可能と判断した場合に、折り返しプリンタドライバ（＊１０５）に対してプリントの受付を許可する旨の通知を行い（＊１１５）、この受付許可を受けたプリンタドライバ（＊１０５）はプリンタサーバコンピュータＰＳに向けて画像データを送信し、プリンタサーバコンピュータＰＳはこの画像データの受信を開始する（＊１１６）。
【０１０１】
（ｆ）  ラスタライズ〜画像レイアウト
プリンタドライバ（＊１０５）から出力される画像データは、通常、ビットマップイメージデータではなく、ぺージ記述言語で記述されている。デジタル複写機１で画像を印刷するためには、デジタル複写機１で印刷が可能なビットマップデータの形態に変換（ラスタライズ、＊１１７）して、デジタル複写機１に転送する必要がある。
【０１０２】
当実施例では、クライアントコンピュータ（ＣＣ１〜ＣＣ４）からのデータ（印刷モード情報や画像データ）を、ネットワークＮＷを介してプリンタサーバコンピュータＰＳ内のネットワークコントローラγ１０で受信し、それをラスタイメージ発生部γ１４で解析し、メモリ上に描画する。
【０１０３】
（ｇ）  画像スプール
前記（ｆ）でラスタライズが終了した画像データは、いったんプリンタサーバコンピュータＰＳ内のハードディスクγ０４に蓄積（スプール）される（＊１１９）。
【０１０４】
これにより、デジタル複写機１の状態に関わらず、例えば他の人のプリントジョプをプリント中であっても、クライアントコンピュータＣＣ１〜ＣＣ４からの印刷ジョブを受け付けることができる。
【０１０５】
（ｈ）  ステータス表示アプリケーションの起動
クライアントコンピュータＣＣ１〜ＣＣ４上のプリンタドライバは、文書作成アプリケーションからのプリントデータを、全てプリンタサーバコンピュータＰＳに転送し終わると、ステータス表示アプリケーションプログラム（＊１２７）がクライアントコンピュータＣＣ１〜ＣＣ４内のハードディスクから、同コンピュータのメモリ上にロードし起動される（＊１２８）。
【０１０６】
（ｉ）  デジタル複写機への印刷ジョブ転送
プリンタサーバコンピュータＰＳは適当なタイミングで、ジョブ登録要求をデジタル複写機１に出し（＊１２０）、デジタル複写機１からジョブ登録許可をうける（＊１２１）とスプ−ルされた印刷ジョブ（印刷モード情報及び画像データ）をデジタル複写機１へ転送する（＊１２２、＊１２３）。
【０１０７】
デジタル複写機１は受信した印刷モードに従ってプリントアウトする（＊１２４）。
【０１０８】
ここで、図１７はプリンタサーバコンピュータの動作の概略を示すフローチャートである。
【０１０９】
プリンタサーバコンピュータＰＳがスタート（＃Ｈ００）すると、初期設定（＃Ｈ０１）をし、内部タイマをセット（＃Ｈ０２）する。この内部タイマはＣＰＵの動作を制御するものではなく、プリンタサーバコンピュータの動作を制御するもので、数秒から数十秒のオーダーである。
【０１１０】
内部タイマセット後、サブルーチン「複写機へポーリング」（＃Ｈ０３）に入る。このサブルーチンは後述の図１８に示す。このサブルーチンを抜けるとステップ＃Ｈ０４において、デジタル複写機１に登録できるジョブの空きがあり、プリンタサーバコンピュータからデジタル複写機１に送るジョブが有るか否かを判断する。
【０１１１】
これが「有り」の場合には、ステップ＃Ｈ０５に進み、Ｉ／Ｆコントローラγ１５から図示しないＳＣＳＩケーブル、インターフェース１３９（図３）を介して印刷データ及び画像データを転送する。
【０１１２】
このステップを終えると、又は、ステップ＃Ｈ０４において「無し」の場合に、ステップ＃Ｈ０６に進む。ステップ＃Ｈ０６において、クライアントコンピュータＣＣ１〜ＣＣ４からコマンドが送られてきているかどうかをチェックし、コマンドがない場合には次のステップ＃Ｈ０９に進む。
【０１１３】
上記コマンドがある場合には、そのコマンドがステータスを要求するものであるときはステータスをクライアントコンピュータＣＣ１〜ＣＣ４へ送る。このコマンドがクライアントコンピュータＣＣ１〜ＣＣ４から印刷ジョブを受信するように要求するものであるときは、サブルーチン「クライアントから印刷ジョブ受信」を実行する。図２３（後述する。）は、このサブルーチンのフローチャートである。
【０１１４】
ステップ＃Ｈ０９において、内部タイマが終了するのを待って、ステップ＃Ｈ０２に還り、以上に説明した処理を繰り返す。
【０１１５】
図１８は、図１７におけるサブルーチン・ステップ＃Ｈ０３の内容を表すフローチャートである。
【０１１６】
このサブルーチン「複写機へのポーリング」（＃Ｊ００）に入ると、ステップ＃Ｊ０１においてタイマセットをする。このタイマにより、デジタル複写機１本体の動作が正常に行われているかどうかを確認するために一定時間（数秒）でポーリング（ここでのポーリングは周期的にステータスを問い合わせることにより接続確認することを意味する。）する（＃Ｊ０３）。
【０１１７】
ステップ＃Ｊ０４、ステップ＃Ｊ０５において、デジタル複写機１から送られてくるステータスの受信完了をチェックし、完了までステータス受信を繰り返す。
【０１１８】
ステップ＃Ｊ０６において受信したステータスを解析し、その内容に応じて図２０に示すステップＪ０７のサブルーチン「サーバ内の管理テーブル更新」を実行したのち、このサブルーチンを抜ける（＃Ｊ９９）。
【０１１９】
（ｊ）  プリント終了の通知
デジタル複写機１は、プリンタサーバコンピュータＰＳから転送された印刷ジョブをプリント完了すると、プリントが終了したことをステータス情報で、プリンタサーバコンピュータＰＳに通知する（＊１２５）。
【０１２０】
プリンタサーバコンピュータＰＳは自らのジョブ管理テーブルの情報を更新し、さらに、そのことをクライアントコンピュータＣＣ１〜ＣＣ４に通知する（＊１２６）。
【０１２１】
（ｋ）  ステータスの表示
クライアントコンピュータＣＣ１〜ＣＣ４は、ステータス情報で自らが指示した印刷ジョブが完了したことを通知されると、メモリγ０２上にロードされたステータス表示アプリケーション（＊１２７）でそれをディスプレイに表示（図１９）する（＊１３０）。
【０１２２】
図１９において、「ＯＫ」をクリックするとこの画面が消える。
【０１２３】
以上は、主として、クライアントコンピュータＣＣ１〜ＣＣ４、プリンタサーバコンピュータＰＳ及びデジタル複写機１間の情報の流れを中心として本実施例を説明したものである。
【０１２４】
図２０は、図１８におけるステップ＃Ｊ０７のサブルーチン「サーバ内管理テーブル更新」のフローチャートである。
【０１２５】
このサブルーチンは、先の手差印刷ジョブが終了したことを判断して、次に実行される手差印刷ジョブのユーザに対して用紙を手差給紙口に置く旨の情報を通知する機能、すなわち、次に実行される手差印刷ジョブのユーザが手差給紙口を占有できる状態になった時点で用紙を置く旨の情報を通知する機能を果たす。
【０１２６】
したがって、次に手差印刷ジョブが実行されるユーザだけが用紙を置くことをするようになるので、手差印刷ジョブのユーザは確実に自分の所望する用紙に手差印刷ジョブを実行させることができる。
【０１２７】
サーバ内管理テーブル更新サブルーチンにはいる（ステップ＃Ｋ００）と、デジタル複写機から受信したステータス情報（デジタル複写機の給紙口管理テーブル）を基にプリンタサーバコンピュータ内の管理テーブルの更新を行い（ステップ＃Ｋ０１）、および図７の管理テーブルを基に図２１のプリンタサーバコンピュータ内の管理テーブルを更新する（ステップ＃Ｋ０２）。
【０１２８】
ステップ＃Ｋ０３において、ジョブ管理テーブルの先頭にあるジョブが完了したか否かをチェックし、完了してなければこのルーチンを抜ける（＃Ｋ９９）。
【０１２９】
完了していれば、ステップ＃Ｋ０４において、ジョブの順番を繰り上げる。
【０１３０】
ステップ＃Ｋ１１において、上記完了したジョブが手差ジョブかどうかをチェックし、このチェックが「ＹＥＳ」（ステップ＃Ｋ１１「ＹＥＳ」）のとき更にステップ＃Ｋ０５に進み、ジョブ管理テーブル内にまだ手差ジョブがあるかどうかをチェックする。
【０１３１】
このチェックが「ＹＥＳ」（ステップ＃Ｋ０５「ＹＥＳ」）のときステップ＃Ｋ１２に進み、図２２に示されるような、例えば、「手差給紙口に用紙を置いて下さい。」といった、ユーザが手差給紙口に用紙を置くことを促す表示を行う。
【０１３２】
上記ステップ＃Ｋ１１、又は、ステップ＃Ｋ０５の判断が「ＮＯ」のときは、ステップ＃Ｋ９９に進みこのサブルーチンを抜ける。
【０１３３】
ここで、ステップ＃Ｋ１１とステップ＃Ｋ０５の判断は、逆の順（ステップ＃Ｋ０５の後にステップ＃Ｋ１１）に行われてもかまわない。
【０１３４】
また、図２２の表示は、ステップ＃Ｋ０５によって「ＹＥＳ」と判断された直後に通知されているが、これに限らず「手差ジョブが完了したこと」及び「ジョブ管理テーブルに手差印刷ジョブがあること」の２つの判断がされた後であれば、手差印刷ジョブ実行の直前や１ジョブ前又は数分前であってもよい。
【０１３５】
図２３はプリンタサーバコンピュータがクライアントコンピュータからジョブを受け取ることに関するフローチャートを示す。プリントする枚数、部数、両面プリント、倍率、２ｉｎ１等の印刷モード共に画像データを受信し、内容を解析した後ジョブ管理テーブルへの追加、画像データのラスター化、スプールを行う。
【０１３６】
このサブルーチンにはいる（＃Ｐ００）と、ステップ＃Ｐ０１において内部タイマのセットを行う。この内部タイマはＣＰＵの動作を制御するものではなく、プリンタサーバコンピュータの動作を制御するもので、数秒から数十秒のオーダーである。
【０１３７】
ステップ＃Ｐ０２において、プリントする枚数、部数、両面プリント、倍率、２ｉｎ１等の印刷モードを受信し、ステップ＃Ｐ０３において、内容解析と受信許可のプリンタドライバへの通知を行う。
【０１３８】
ステップ＃Ｐ０４において、手差印刷ジョブか否かをチェックし、手差ジョブでなければステップ＃Ｐ０７に進む。
【０１３９】
手差ジョブであれば、ステップ＃Ｐ０５に進み、手差印刷ジョブが既に登録されているか否かをチェックし、登録されていなければ、ステップ＃Ｐ０６に進む。
【０１４０】
手差印刷ジョブが登録されていないことは手差給紙口にそのユーザが用紙を置いてよいことを意味するので、このステップにおいてその手差印刷ジョブを要求したクライアントへ手差給紙口に用紙を置く旨の通知を行う。
【０１４１】
登録されていなければ、ステップ＃Ｐ０７に進む。
【０１４２】
以下、ステップ＃Ｐ０７において、管理テーブルにジョブを追加し、画像データを受信し（＃Ｐ０８）、これをラスタライズし（＃Ｐ０９）、画像データを蓄積して印刷する順位を設定する（＃Ｐ１０）。
【０１４３】
この後、内部タイマが終了する（＃Ｐ１１）のを待って、このサブルーチンを抜ける（＃Ｐ９９）。
【０１４４】
先に触れたが、図２１は、プリンタサーバコンピュータＰＳ内のジョブ管理テーブルである。
【０１４５】
このテーブルにおいて、キューはジョブの登録されている場所を示している。本実施例では、エンジンすなわちデジタル複写機１には、４件のジョブまで登録することができる。「ｏｗｎｅｒ」はクライアントコンピュータＣＣ１〜ＣＣ４であり、これから発せられたジョブであることを示している。
【０１４６】
このテーブルにおいて、１ジョブ目が終了すると、２ジョブ目以降のジョブの順番が繰り上がり、５ジョブ目がデジタル複写機１に登録される。このとき、５ジョブ目のジョブＩＤ欄に「０１」が与えられることになる。そして、ジョブＩＤと「ｏｗｎｅｒ」は関連づけられており、例えば、１ジョブ目でジャムしたとき、デジタル複写機１側からはこのジョブＩＤがプリンタサーバコンピュータＰＳに送られてくるので、プリンタサーバコンピュータＰＳ内でジョブＩＤとその「ｏｗｎｅｒ」を照会して、ｏｗｎｅｒ５にその旨（ジャムしたこと）が通知される。
【０１４７】
デジタル複写機（プリンタ側）のジョブ管理テーブルは常時プリンタサーバコンピュータ側で監視され、プリンタサーバコンピュータのジョブ管理テーブルに反映されているので、これからプリントアウトするジョブが手差ジョブかどうかはプリンタサーバコンピュータ側で把握することができる。したがって、印刷ジョブがプリンタサーバコンピュータに到達した時点で、このジョブ管理テーブルをチェックし手差ジョブの有無および、ジョブ開始までのジョブ数を調べることができる。
【０１４８】
「変形例１」
図２４は、上記ジョブ開始までのジョブ数を調べるようにした変形例を説明するためのものである。この変形例では図１８のステップ＃Ｊ０７のサブルーチン「サーバ内管理テーブルの更新」が図２０から図２４のように変更される。
【０１４９】
ステップ＃Ｒ００乃至ステップ＃Ｒ０５までは、ステップ＃Ｋ１１に相当するステップがないことを除き、図２０におけるステップ＃Ｋ００乃至ステップ＃Ｋ０５までの説明と変わらないので、その説明は省略する。
【０１５０】
ステップ＃Ｒ０５までにおいてジョブ管理テーブル内に手差印刷ジョブがあることが確認されたとき、ステップ＃Ｒ０６において各手差印刷ジョブまでのジョブ数をカウントし、ステップ＃Ｒ０７において手差印刷ジョブのオーナへ待ちジョブ数を通知する。このジョブを出したクライアントコンピュータではステータス表示アプリケーションにより画面には例えば図２５のような表示がなされる。この表示は、そのオーナが手差給紙口を占有できる状態になったこと及び自分の手差印刷ジョブが実行されるまでのジョブ数を知らせることになるので、自分の手差印刷ジョブが実行される頃合いを見計らってそれまでに用紙をセットすることができる。
【０１５１】
「変形例２」
図２６は、手差印刷ジョブがこれから行われる印刷ジョブであるとき、及び、その次に行われる印刷ジョブであるとき、その旨をそれぞれのオーナに通知するようにした変形例を説明するためのものである。この変形例では図１８のステップ＃Ｊ０７のサブルーチン「サーバ内管理テーブルの更新」が図２０から図２６のように変更される。
【０１５２】
ステップ＃Ｓ００乃至ステップ＃Ｒ０４までは、図２０におけるステップ＃Ｋ００乃至ステップ＃Ｋ０４までの説明と変わらないので、その説明は省略する。
【０１５３】
ステップＳ＃０４においてジョブ管理テーブルのジョブ進捗状況が更新された後、ステップＳ＃１５に進み、更新されたジョブ管理テーブルの中の先頭にあるジョブが手差印刷ジョブであるか否かをチェックする。手差印刷ジョブであればステップ＃Ｓ１６に進む。手差印刷ジョブでなければステップ＃Ｓ１７に進む。
【０１５４】
ステップ＃Ｓ１６においては、ジョブ管理テーブルの先頭にある手差印刷ジョブのクライアントに対して、手差給紙口へ用紙を置く旨を通知する。この通知は、例えば図２７に示すように、「今から行うジョブはあなたの手差印刷ジョブです。手差給紙口に用紙を置いてください。」といった内容である。
【０１５５】
ステップ＃Ｓ１７においては、更新されたジョブ管理テーブルの中の２番目にあるジョブが手差印刷ジョブであるか否かをチェックする。手差印刷ジョブであればステップ＃Ｓ１８に進む。手差印刷ジョブでなければステップ＃Ｓ９９に進みこのサブルーチンを抜ける。
【０１５６】
ステップ＃Ｓ１８においてはジョブ管理テーブルの２番目にある手差印刷ジョブのクライアントに対して、手差給紙口へ用紙を置く旨を通知する。この通知は、例えば図２８に示すように、「今実行されている印刷ジョブの次があなたの手差印刷ジョブの順番です。手差給紙口に用紙を置いてください。」といった内容である。
【０１５７】
ステップ＃Ｓ１６及びステップ＃Ｓ１８を実行してステップ＃Ｓ９９に進み、このサブルーチンを抜ける。
【０１５８】
「変形例３」
図２９は、手差印刷ジョブの実行開始時間を予告するための変形例を説明するためのものである。この変形例では図１８のステップ＃Ｊ０７のサブルーチン「サーバ内管理テーブルの更新」が図２０から図２９のように変更される。
【０１５９】
先に変形例では、手差ジョブまでのジョブ数をクライアントコンピュータに通知するものを示したが、この代わりに、図２９に示すように通知タイミングにより手差ジョブの実行時間を予告をしてもよい。通知タイミングは、手差ジョブ開始一定時間前、又は手差ジョブ開始直前でもよい。
【０１６０】
通知タイミングに到達したか否かをステップ＃Ｑ０４においてチェックし、通知タイミングになった場合に該当ユーザに通知する（＃Ｑ０５）。
【０１６１】
ジョブ管理テーブルを参照すれば、手差ジョブの前に登録されているジョブの内容がわかるので、こ（れら）のジョブにおける原稿枚数、部数、両面コピーモードか否か、ステープルモードか否か等から、デジタル複写機がこれらのジョブを処理（プリントアウト）するために必要な時間をおおよそ計算することができる。この計算の結果導き出された時間の総計が一定時間、例えば３分、をきったとき、ステップ＃Ｑ０４で「ＹＥＳ」が成立するようにする。
【０１６２】
また、ステップ＃Ｑ０３において、手差ジョブの直前のジョブが終了したときに、ステップ＃Ｑ０４が「ＹＥＳ」が成立するようにすれば、手差ジョブ実行直前に、これから手差ジョブの実行に入ることを知らせることができる。
【０１６３】
図３０は上記通知の画面の一例であって、手差ジョブ開始一定時間前（この例では３分前）に通知するための画面を示す。画面上の「ＯＫ」ボタンを押下（クリック）すると表示画面は消える。
【０１６４】
図３１は上記通知の画面の異なる一例であって、手差ジョブ開始直前に通知するための画面を示す。画面上の「ＯＫ」ボタンを押下（クリック）すると表示画面は消える。
【０１６５】
以上に開示した実施例によれば、手差ジョブを指示したクライアントに対し、その手差ジョブ実行前、手差給紙口の用紙が置き換えられるおそれがなくなったときに、手差給紙口に用紙を置く旨を通知する。
【０１６６】
ここにおいて、手差給紙口に用紙を置く旨の通知は、「手差給紙口に用紙を置いてください。」といった直接的表現から、他にいくつかの例を示したように「残りジョブ数」、「手差印刷ジョブ開始までの時間」、「これから手差ジョブを開始する」、「順番」等、手差給紙口に用紙を置くべき時期、または、それが可能な時期となったことを表すどのようなものでもよい。
【０１６７】
以上の実施例では、デジタル複写機１とネットワークＮＷの間にプリンタサーバコンピュータＰＳが介在しており、このプリンタサーバコンピュータ内にジョブ管理テーブルが存在する形式のものについて説明したが、独立のプリンタサーバコンピュータではなく、この機能が実質的に組み込まれたデジタル複写機又はプリンタにあっても以上に述べた機能を実現することが可能なことは説明するまでもないことは明らかである。
【０１６８】
【発明の効果】
本発明は以上説明したように次のような効果を奏する。
【０１６９】
手差印刷ジョブを要求した時に他の手差印刷ジョブがプリンタに登録されていない場合、あるいは、登録されていた手差印刷ジョブに基づく印刷動作が終了した場合、次に実行される手差印刷ジョブを登録させた端末装置に手差給紙口に用紙を置く旨の情報を通知させるので、ユーザは、他のユーザが要求した手差印刷ジョブではなく、自分が要求した手差印刷ジョブの前に所望の用紙を手差給紙口に載置することができるようになり、誤った用紙への印刷をなくすことができる。
【０１７０】
また、実行中の印刷ジョブから手差印刷ジョブまでの順番待ちジョブ数が所定のジョブ数になった時点で手差印刷ジョブを要求した端末装置に対して、手差給紙口に用紙を置く旨の情報を通知させるので、ユーザは、自分が要求した手差印刷ジョブの前に所望の用紙を手差給紙口に載置することができるようになり、誤った用紙への印刷をなくすことができる。
【図面の簡単な説明】
【図１】本発明に関わるシステムの概略を示す構成図である。
【図２】本発明に関わるデジタル複写機１の全体構成を示す断面図である。
【図３】本発明に関わるデジタル複写機１の制御部１００の構成を示すブロック図である。
【図４】本発明に関わるデジタル複写機１の制御部１００の構成を示すブロック図であって、図３に続く部分を示す。
【図５】メモリユニット部３０の構成を示す図である。
【図６】プリンタサーバコンピュータＰＳの構成図である。
【図７】管理テーブルの概略図である。
【図８】プリンタサーバコンピュータからのプリントデータ受信動作の概略のシーケンスを示す図である。
【図９】プリント動作の概略を示す図である。
【図１０】デジタル複写機１の制御を統括するＣＰＵ１０５のメインフローチャートである。
【図１１】ＣＰＵ１０６（メモリユニット）の動作を示すフローチャートである。
【図１２】ＣＰＵ１０９（外部インターフェースユニット）の動作を示すフローチャートである。
【図１３】ネットワークシステムのプリントシーケンスの概略図である。
【図１４】ネットワークシステムのプリントシーケンスの概略図であって、図１３に続くものである。
【図１５】プリンタドライバの画面の一つを示す図である。
【図１６】プリンタドライバの画面の一つを示す図である。
【図１７】プリンタサーバコンピュータの動作の概略を示すフローチャートである。
【図１８】図１７におけるサブルーチン「複写機へのポーリング」（ステップ＃Ｈ０３）の内容を表すフローチャートである。
【図１９】印刷ジョブ完了にともない、ステータス表示アプリケーションによりクライアントコンピュータのディスプレイに表示される画面である。
【図２０】図１８におけるサブルーチン「サーバ内管理テーブル更新」（ステップ＃Ｊ０７）の内容の一例を表すフローチャートである。
【図２１】プリンタサーバコンピュータＰＳ内のジョブ管理テーブルを示す図である。
【図２２】ユーザが手差給紙口に用紙を置く旨を促すクライアントコンピュータの表示画面の一例である。
【図２３】図１７におけるサブルーチン「クライアントから印刷ジョブ受信」（ステップ＃Ｈ０８）のフローチャートである。
【図２４】図１８におけるサブルーチン「サーバ内管理テーブル更新」（ステップ＃Ｊ０７）の内容の一例を表すフローチャートである。
【図２５】手差印刷ジョブまでのジョブ数によって、ユーザが手差給紙口に用紙を置く旨を促すクライアントコンピュータの表示画面の一例である。
【図２６】図１８におけるサブルーチン「サーバ内管理テーブル更新」（ステップ＃Ｊ０７）の内容の一例を表すフローチャートである。
【図２７】手差印刷ジョブの順番によって、ユーザが手差給紙口に用紙を置く旨を促すクライアントコンピュータの表示画面の一例である。
【図２８】手差印刷ジョブの順番によって、ユーザが手差給紙口に用紙を置く旨を促すクライアントコンピュータの表示画面の一例である。
【図２９】図１８におけるサブルーチン「サーバ内管理テーブル更新」（ステップ＃Ｊ０７）の内容の一例を表すフローチャートである。
【図３０】手差印刷ジョブまでの時間によって、ユーザが手差給紙口に用紙を置く旨を促すクライアントコンピュータの表示画面の一例である。
【図３１】手差印刷ジョブをこれから行うことを表示することによって、ユーザが手差給紙口に用紙を置く旨を促すクライアントコンピュータの表示画面の一例である。
【符号の説明】
１  デジタル複写機
１０  走査系
２０  画像処理部
３０  メモリユニット部
４０  印刷処理部
６０  プリントヘッド
８０ａ、８０ｂ  用紙カセット
８０ｃ  手差し給紙口
１００  制御部
１０１〜１０９  ＣＰＵ
１１１〜１１９  ＲＯＭ
１２１〜１２９  ＲＡＭ
１３６  デュアルポートＲＡＭ
５００  自動原稿送り装置（ＡＤＦＲ）
ＰＳ  プリンタサーバコンピュータ
ＩＲ  イメージリーダ
ＰＲＴ  ページプリンタ
ＩＵ  外部インターフェースユニット
ＯＰ  操作パネル
Ｍ  メモリ
ＮＷ  ネットワーク
ＳＥ１１、ＳＥ１２  用紙サイズ検出センサ
ＳＥ１１Ｅ、ＳＥ１２Ｅ、ＳＥ１３Ｅ  エンプティセンサ
ＳＥ１３  マルチ手差し用紙サイズ検出センサ
ＳＥ５０  原稿センサ
ＳＥ５１  原稿サイズセンサ
ＳＥ５２  排出センサ
【図１】
0003924925.tif 000002
【図２】
0003924925.tif 000003
【図３】
0003924925.tif 000004
【図４】
0003924925.tif 000005
【図５】
0003924925.tif 000006
【図６】
0003924925.tif 000007
【図７】
0003924925.tif 000008
【図８】
0003924925.tif 000009
【図９】
0003924925.tif 000010
【図１０】
0003924925.tif 000011
【図１１】
0003924925.tif 000012
【図１２】
0003924925.tif 000013
【図１３】
0003924925.tif 000014
【図１４】
0003924925.tif 000015
【図１５】
0003924925.tif 000016
【図１６】
0003924925.tif 000017
【図１７】
0003924925.tif 000018
【図１８】
0003924925.tif 000019
【図１９】
0003924925.tif 000020
【図２０】
0003924925.tif 000021
【図２１】
0003924925.tif 000022
【図２２】
0003924925.tif 000023
【図２３】
0003924925.tif 000024
【図２４】
0003924925.tif 000025
【図２５】
0003924925.tif 000026
【図２６】
0003924925.tif 000027
【図２７】
0003924925.tif 000028
【図２８】
0003924925.tif 000029
【図２９】
0003924925.tif 000030
【図３０】
0003924925.tif 000031
【図３１】
0003924925.tif 000032